(57)【要約】      （修正有）【課題】シャッター音が小さいために人物モデルの撮影に支障が出ることを回避する疑似シャッター音発生装置を提供する。【解決手段】疑似シャッター音発生装置は、疑似シャッター音として、シャッターの動作に同期した電気信号により電磁接触器１３のコイルに電圧を印加して作動させ、その作動音を持って従来のシャッター音に類似した特性の音を提供する。【選択図】図２
0003235320.tif 000002
【実用新案登録請求の範囲】
【請求項１】
撮影用カメラのストロボのシンクロ端子（及び／又はアクセサリーシューから信号を取り出し、シンクロ端子の信号に変換するためのアクセサリーからの信号を含む。以下同じ）よりシャッター幕が開くのに同期した信号（以下同期信号という）及び／又はテストスイッチからの信号を、直接的及び／又は間接的に電気的に取り出し、それらの信号にて電磁接触器（電磁開閉器も含む。以下同じ）や電磁弁の動作コイルに通電し、これら（電磁接触器と電磁弁を合わせて電磁接触器等という。以下同じ）電磁接触器等の動作音を持って疑似シャッター音を発生することを特徴とする疑似シャッター音発生装置
【請求項２】
電磁接触器等及び付帯備品やコイルの電源等の一部又は全部を、音を反響させる箱状の入れ物に収納することを特徴とする、請求項１に記載の疑似シャッター音発生装置
【請求項３】
電磁接触器の接点及び／又は電磁接触器等に電圧を印加するために補助リレーを使用した場合はその接点、及び／又は印加された電圧を使用し、同期信号及び／又はテストスイッチからの信号を電気的に取り出すことが可能なことを特徴とする、請求項１又は請求項２に記載の疑似シャッター音発生装置
【請求項４】
箱状等の入れ物の開口面積を変化させることで音色の変更を可能とすることを特徴とする、請求項２又は請求項３に記載の疑似シャッター音発生装置
【請求項５】
三脚等に取付けることを可能とするためのネジ穴、クリップその他取り付けのための機構を有することを特徴とする、請求項１、請求項２、請求項３又は請求項４に記載の疑似シャッター音発生装置
【考案の詳細な説明】
【技術分野】
【０００１】本考案は、撮影用カメラにおける疑似シャッター音に関するものである。
【背景技術】
【０００２】シャッター音と言われているが、実際にはシャッター幕（膜状ではなく板状の場合も含む。以下同じ）とミラーの動作音の片方又は両方の音である。以下シャッター音はこの意味で使用する。）
人物モデル撮影時、シャッター音を合図にモデルがポーズを変えることが通常行われてきた。
特許文献１、２、３のように、疑似シャッター音を発生させる装置は過去にも存在はしている。
【先行技術文献】
【特許文献】
【０００３】
【特許文献１】特開２００４−７６９９号
【特許文献２】特開２００７−２５６７１３号
【特許文献３】実用新案登録第３０８５７６号
【非特許文献】
【０００４】
【非特許文献１】ＴＡＤ４００３  及  ＡＬＴＯ  ＷＡＸ、『性能は満点でしょうが、シャター音静か過ぎませんか？』のクチコミ掲示板、書込番号２３７１７３６４及２３７３６４０７、［ｏｎｌｉｎｅ］、２０２０年１０月１９日、価格ドットコム、［２０２１年８月３０日検索］、インターネット＜ＵＲＬ：ｈｔｔｐｓ：／／ｂｂｓ．ｋａｋａｋｕ．ｃｏｍ／ｂｂｓ／Ｋ０００１２７２１４７／ＳｏｒｔＩＤ＝２３７１６８６７／  ＞
【考案の概要】
【考案が解決しようとする課題】
【０００５】近年の撮影用高級カメラの主力はミラーレスという分類のカメラになりシャッター音が小さくなった。人物モデル撮影の場合、非特許文献１のようにモデルが聞き取れないためにポーズを変えるタイミングが取れない問題、テンションが上がらない問題が新たに発生してきた。すなわち、従来のシャッター音が無くなることで、今までのような人物モデルの写真を撮ることが困難になってきた。
【課題を解決するための手段】
【０００６】ミラーレスカメラであっても、シャッター幕３の開閉に同期した電気信号を、カメラ本体のシンクロ端子５ａより信号として取り出すことは可能である。（カメラ本体にはシンクロ端子が無いカメラもあるが、アクセサリーシュー７に装着してシンクロ端子として使うことを可能とするアダプターも市販されている。以下アダプター使用も含む）本考案では、電磁接触器（電磁開閉器を含む。以下同じ）又は電磁弁（電磁接触器と電磁弁を指して電磁接触器等という。以下同じ）の動作音にて、簡便でシャッター音発生に類似した機構により類似した特性の音を提供することで、問題を解決している。
【考案の効果】
【０００７】本考案の疑似シャッター音発生装置は、一眼レフのシャッター音に類似した機構で類似した特性の音を発生させるので、人物モデルにも聞こえやすく、かつ人物モデルと撮影者の精神的テンションを上げるのに役立つ。
【図面の簡単な説明】
【０００８】
【図１】  本考案の背景技術を説明するものである。一眼レフカメラの概略図である。
【図２】  本考案の実施例の一例である。外見略図兼配線図である。
【図３】  本考案の展開接続図である。
【考案を実施するための形態】
【０００９】  図１は一眼レフの模式図であり、図中に示すようにミラー２が存在し、これが上に移動後元の位置に戻る、という往復運動にてシャッター音が生成していた。
近年はこのミラー２を廃した「ミラーレス」というカメラが主力である。そこで、１回の瞬時電気信号で往復運動をするものを使えば、従来のシャッター音に近いものが得られるのではとの考えから、電磁接触器等の転用を考え付いた。
【００１０】  音以外に電磁接触器等を使う理由について説明する。
価格が安い事、汎用品で入手しやすいこと、重要な電気部品であり信頼性が高いこと、電磁接触器の場合は電気信号を取り出す方法としても利用可能なこと、による。
【００１１】  最低限の構成は、電磁接触器等、そのコイルに定格通りの電気を供給する電源、電圧を印加する信号を得る装置内又は装置外のスイッチで構成される。
シンクロ接点５ｂが、シャッター幕３の動作と同期して一瞬だけ接続するため、これを使う。また、テストスイッチ１７も接続できる設計とする。
【実施例】
【００１２】  図２は本考案の実施例を説明するものである。
電源線９から供給された電圧を電磁接触器１３のコイル印加用端子１３ａに印加すれば作動する。装置外部から信号を貰うため信号線１１にて、テストスイッチ１７及び／又はシンクロ端子５ａに実施例では直接に接続する。
テストスイッチ１７の場合は任意にスイッチを入れることができる。
シンクロ端子５ａの場合はシャッター幕３の動作に同期し一瞬だけシンクロ接点５ｂが繋がる。【００１３】  接点端子１３ａから電気信号を取り出すことができるため、他のカメラのレリーズケーブルに繋ぎ撮影する、ストロボを同時に発光させるなどの使い方も可能である。【００１４】  正面の開口部に引戸式の蓋１６を着ければ開口面積を変化させることが可能となり、全閉にすれば持ち運び時に異物混入をある程度防ぐ事が可能となる。【００１５】  実施例では固定用ネジ穴１４であるが、装置を三脚などに固定するための機構を用意すれば、装置の向きや高さを簡単に調整することが可能となる。【００１６】  これに加えて必要な安全対策を組み込む。実施例では端子台１０を用い、電線に荷重がかかることがあっても安全を担保している。
正面の開口面、引戸式の蓋１６の内側に網目１センチメートル程度の網１５を用いれば、音色を損なわずに不用意に電圧がかかっている部分に触れることを防止することができる。【００１７】  本考案の実施例を、展開接続図とすれば図３になる。
【符号の説明】
【００１８】  １  レンズ
２  ミラー（破線は撮影中の位置を示す）
３  シャッター（破線は撮影中の位置を示す）
４  撮像素子
５  カメラ本体
５ａ      シンクロ端子
５ｂ      シンクロ接点
６  ペンタダハミラー、またはペンタプリズム
７  アクセサリーシュー
８  箱
９  電源線
９ａ      ＡＣ１００ボルトジャック
１０  端子台
１１  信号線
１１ａ    接続子（メス又はオス）
１１ｂ    接続子（オス又はメス）
１１ｃ    シンクロコードの端子
１２  フューズ
１３  電磁接触器
１３ａ    コイル端子
１３ｂ    接点端子
１４  固定用ネジ穴
１５  網
１６  引戸式の蓋
１７  テストスイッチ
【図１】
0003235320.tif 000003
【図２】
0003235320.tif 000004
【図３】
0003235320.tif 000005